(57)【要約】【課題】記録媒体に記録された電子データを不正に使用した利用者の画像を検索する。【解決手段】カメラ４０は、改札機２０を通過する利用者を撮影する。構内管理サーバ１０の画像記憶部１２は、カメラ４０が撮影した画像、画像が撮影された時刻、カメラ番号を記憶する。構内管理サーバ１０の乗車券ＩＤ記憶部１４は、発券機が発券した乗車券のＩＤ、ＩＤの使用未使用フラグ、ＩＤを読み取った改札機番号、ＩＤが読み取られた時刻を記憶している。構内管理サーバ１０の不正検出部１７は、改札機２０、もしくは、係員端末６０が読み取った乗車券２のＩＤを取得し、新たに取得した乗車券２のＩＤが乗車券ＩＤ記憶部１４に存在し、このＩＤの使用未使用フラグが使用済である場合、不正が発生したと判定する。画像検索部１８は、不正が発生したと判定された乗車券２のＩＤに対応するカメラ番号を検索し、不正が発生したと判定された乗車券２のＩＤと同じＩＤが読み取られた時刻にカメラ４０が撮影した画像を検索する。【選択図】図１
2008059219.tif 000002
【特許請求の範囲】
【請求項１】
読取装置により記録媒体に記録された情報が読み取られるときの前記記録媒体を保持している利用者の画像と、前記利用者の画像が撮影された時刻とを記憶する画像記憶部と、
前記読取装置に読み取られた各記録媒体に固有の識別情報と、前記識別情報が読み取られた時刻とを記憶する識別情報記憶部と、
前記読取装置が新たに読み取った記録媒体の識別情報を基に記録媒体の不正使用を検出する不正検出部と、
前記不正検出部が不正を検出した場合、前記新たに読み取った記録媒体の識別情報と同じ識別情報が読み取られた時刻を前記識別情報記憶部から読出し、当該時刻に撮影された利用者の画像を前記画像記憶部から検索する画像検索部と、
を備えることを特徴とする画像データ検索装置。
【請求項２】
前記不正検出部は、前記読取装置が新たに読み取った記録媒体の識別情報と前記識別情報記憶部に記憶された記録媒体の識別情報とを照合し、前記読取装置に新たに読み取られた記録媒体の識別情報が前記識別情報記憶部に存在する場合、不正使用を検出することを特徴とする請求項１に記載の画像データ検索装置。
【請求項３】
記録媒体の識別情報と、前記識別情報が記録された記録媒体が使用可能か否かを記憶する使用可否情報記憶部と、
使用可能な識別情報を記録した記録媒体が使用された際に、前記識別情報を使用済に切り替える同期処理部と、を備え、
前記不正検出部は、前記読取装置が新たに読み取った記録媒体の識別情報が、前記使用可否情報記憶部において使用済であった場合、前記記録媒体の不正使用を検出することを特徴とする請求項１に記載の画像データ検索装置。
【請求項４】
前記読取装置の識別情報と、前記利用者を撮影するカメラの識別情報とを記憶するカメラ情報記憶部を備え、
前記識別情報記憶部は、前記記録媒体の識別情報を読み取った前記読取装置の識別情報を記憶しており、前記画像記憶部は、前記画像を撮影したカメラの識別情報を記憶しており、
前記画像検索部は、前記記録媒体の識別情報を読み取った読取装置の識別情報を取得し、当該読取装置の識別情報を基に、当該読取装置を撮影するカメラの識別情報を前記カメラ情報記憶部から読出し、当該カメラの識別情報に対応するカメラが撮影した利用者の画像を前記画像記憶部から検索すること
を特徴とする請求項１に記載の画像データ検索装置。
【請求項５】
前記読取装置は、施設への入退出を制限するゲートに設けられており、前記画像記憶部は、前記ゲートを通過する利用者を撮像した画像を記憶することを特徴とする請求項１４記載の画像データ検索装置。
【請求項６】
前記記録媒体は無線ＩＣタグであり、前記読取装置は無線ＩＣタグのリーダであることを特徴とする請求項１に記載の画像データ検索装置。
【請求項７】
固有の識別情報を記録した記録媒体に記録された情報の不正利用者を検出するコンピュータが、
読取装置を使用して記録媒体に記録された情報を読み取る利用者を撮影した画像と、前記利用者の画像が撮影された時刻とを取得し画像記憶部に記憶する処理、
前記読取装置により前記記録媒体から読み取られた各記録媒体に固有の識別情報と、前記識別情報が読み取られた時刻とを取得し識別情報記憶部に記憶する処理、
前記読取装置が新たに読み取った記録媒体の識別情報と前記識別情報記憶部に記憶された記録媒体の識別情報とを照合し、前記読取装置に新たに読み取られた記録媒体の識別情報が前記識別情報記憶部に存在する場合、当該識別情報が読み取られた時刻を前記識別情報記憶部から読み出し、当該時刻に撮影された利用者の画像を前記画像記憶部から検索する処理、
を実行することを特徴とする画像データ検索方法。
【請求項８】
固有の識別情報を記録した記録媒体に記録された情報の不正利用者を検出するコンピュータに、
読取装置を使用して記録媒体に記録された情報を読み取る利用者を撮影した画像と、前記利用者の画像が撮影された時刻とを取得し画像記憶部に記憶するステップと、
前記読取装置により前記記録媒体から読み取られ各記録媒体に固有の識別情報と、前記識別情報を読み取られた時刻とを取得し識別情報記憶部に記憶するステップと、
前記読取装置が新たに読み取った記録媒体の識別情報と前記識別情報記憶部に記憶された記録媒体の識別情報とを照合し、前記読取装置に新たに読み取られた記録媒体の識別情報が前記識別情報記憶部に存在する場合、当該識別情報が読み取られた時刻を前記識別情報記憶部から読み出し、当該時刻に撮影された利用者画像を前記画像記憶部から検索するステップと、
を実行させる画像データ検索プログラム。
【発明の詳細な説明】
【技術分野】
【０００１】
本発明は、画像データ検索装置、画像データ検索方法、画像データ検索プログラムに関する。
【背景技術】
【０００２】
従来、改札機と無線通信可能なＩＣチップを内蔵した携帯端末と、改札機と接触式あるいは非接触式で通信可能なＩＣカードとからなり、ＩＣチップまたはＩＣカードに乗車券類データを重点し、携帯端末またはＩＣカードにより自動改札し、ＩＣチップとＩＣカード間で相互に乗車券類データを移し変える電子乗車券システムが提案されている（特許文献１）。
【特許文献１】特開２００２−１４０７３５号公報
【発明の開示】
【発明が解決しようとする課題】
【０００３】
近年、電子乗車券システムでは、ＩＣチップと改札機との通信にＲＦＩＤと呼ばれる無線通信技術が利用されている。ＲＦＩＤとは、無線ＩＣタグと呼ばれる記録媒体から、無線を利用して非接触でデータを読み取る技術である。
【０００４】
無線ＩＣタグは、定期券には広く利用されているが、乗車券には利用されていない。無線ＩＣタグは、磁気でデータを記録した磁気券よりもコストが高く、一度だけ使用すると不要になる乗車券には不向きだからである。
【０００５】
乗車券は、未だ磁気券が一般的である。改札機は、磁気券の機械的読取機構として、差込口と送出口とを備え、磁気券が差込口から送出口を通過する間に磁気券に記録された磁気データを読み取る。このような機械的読取機構は、機械的故障が発生し、修理やメンテナンスが煩雑であるという問題がある。
【０００６】
ＲＦＩＤは、非接触であるため、機械的読取機構の故障修理やメンテナンスが不要であるという利点がある。また、読取専用の無線ＩＣタグは、コストが低下しており、乗車券に活用しやすくなっている。しかし、無線ＩＣタグも、磁気券と同様に不正使用の問題が発生する。この問題は、電子乗車券システムだけではなく、電子的データを用いて入退出を管理するシステム全体に起こりうる問題である。
【０００７】
そこで本発明は、上記課題に鑑みてなされたものであり、記録媒体に記録された電子データを不正に使用した利用者の画像を検索する画像データ検索装置、画像データ検索方法、画像データ検索プログラムを提供することを目的とする。
【課題を解決するための手段】
【０００８】
上記課題を解決する本発明の画像データ検索装置は、読取装置により記録媒体に記録された情報が読み取られる際に前記記録媒体を保持している利用者の画像と、前記利用者の画像が撮影された時刻とを記憶する画像記憶部と、前記読取装置に読み取られた各記録媒体に固有の識別情報と、前記識別情報が読み取られた時刻とを記憶する識別情報記憶部と、
前記読取装置が新たに読み取った記録媒体の識別情報を基に記録媒体の不正使用を検出する不正検出部と、前記不正検出部が不正を検出した場合、前記新たに読み取った記録媒体の識別情報と同じ識別情報が読み取られた時刻を前記識別情報記憶部から読出し、当該時刻に撮影された利用者の画像を前記画像記憶部から検索する画像検索部と、を備える。
【０００９】
また、本発明の画像データ検索方法は、固有の識別情報を記録した記録媒体に記録された情報の無断利用者を検出するコンピュータが、読取装置を使用して記録媒体に記録された情報を読み取る利用者を撮影した画像と、前記利用者の画像が撮影された時刻とを取得し画像記憶部に記憶する処理、前記読取装置により前記記録媒体から読み取られた各記録媒体に固有の識別情報と、前記識別情報が読み取られた時刻とを取得し識別情報記憶部に記憶する処理、前記読取装置が新たに読み取った記録媒体の識別情報と前記識別情報記憶部に記憶された記録媒体の識別情報とを照合し、前記読取装置に新たに読み取られた記録媒体の識別情報が前記識別情報記憶部に存在する場合、当該識別情報が読み取られた時刻を前記識別情報記憶部から読み出し、当該時刻に撮影された利用者の画像を前記画像記憶部から検索する処理、を実行する。
【００１０】
また、本発明の画像データ検索プログラムは、固有の識別情報を記録した記録媒体に記録された情報の無断利用者を検出するコンピュータに、読取装置を使用して記録媒体に記録された情報を読み取る利用者を撮影した画像と、前記利用者の画像が撮影された時刻とを取得し画像記憶部に記憶するステップと、前記読取装置により前記記録媒体から読み取られ各記録媒体に固有の識別情報と、前記識別情報を読み取られた時刻とを取得し識別情報記憶部に記憶するステップと、前記読取装置が新たに読み取った記録媒体の識別情報と前記識別情報記憶部に記憶された記録媒体の識別情報とを照合し、前記読取装置に新たに読み取られた記録媒体の識別情報が前記識別情報記憶部に存在する場合、当該識別情報が読み取られた時刻を前記識別情報記憶部から読み出し、当該時刻に撮影された利用者画像を前記画像記憶部から検索するステップと、を実行させる。
【発明の効果】
【００１１】
本発明によれば、記録媒体に記録された電子データを不正に使用した利用者の画像を検索することが可能となる。
【発明を実施するための最良の形態】
【００１２】
以下、図面を参照しながら最良の実施形態について説明する。
【００１３】
＝＝＝全体構成例＝＝＝
図１は、本実施の形態にかかる画像データ検索システム１の構成図である。本実施の形態にかかる画像データ検索システム１は、駅の改札機３０を通過する利用者の画像を撮影し、乗車券２の不正利用が発生したとき、不正利用を行なった可能性のある利用者の画像を検索する。
【００１４】
画像データ検索システム１は、図１に示すように、無線ＩＣタグ３付きの乗車券２を発券する発券機２０と、利用者が保持する乗車券２を認証する改札機３０（ゲート）と、改札機３０を通過する利用者の画像を撮影するカメラ４０と、乗車券２に付けられた各無線ＩＣタグ３に固有のＩＤ（識別情報）及び利用者の画像を管理する構内管理サーバ１０（画像データ検索装置）と、乗車券２を不正に利用した不正利用者の検索を構内管理サーバ１０に指示する係員端末６０と、画像データ検索システム１に含まれる各装置の通信を中継する中継器５０とを備える。
【００１５】
＝＝＝発券機２０＝＝＝
発券機２０は、無線ＩＣタグ付きの乗車券２を発券する。無線ＩＣタグ付き乗車券２とは、図２に示すように、乗車券２の内部ないしは表面に無線ＩＣタグ３を備える。各無線ＩＣタグ３は、固有のＩＤ（以下、乗車券２のＩＤと記す）を記録している。
【００１６】
発券機２０は、乗車券２を発券すると共に、乗車券２に付けられた無線ＩＣタグ３のＩＤを中継器５０に送信する。中継器５０は、発券機２０から受信したＩＤを、駅に設置された全ての改札機３０、および、構内管理サーバ１０に転送する。
【００１７】
＝＝＝改札機３０＝＝＝
改札機３０は、図３に示すように、乗車券２のＩＤを読み取るリーダ３１と、発券機２０が発券した乗車券２のＩＤを記憶する認証用ＩＤ記憶部３２と、認証用ＩＤ記憶部３２に記憶されたＩＤを参照してリーダ３１が読み取った乗車券２のＩＤの認証を取るＩＤ認証部３３と、不正な利用者の入場を制限する開閉扉３４と、開閉扉３４を駆動する扉駆動部３５と、認証が失敗したことを駅の係員などに通知する警告処理部３６と、駅に設置された全ての改札機３０や構内管理サーバ１０と乗車券２の使用情報の同期を取る同期処理部３７とを備える。
【００１８】
＜リーダ３１＞
無線ＩＣタグ３のリーダ３１は、改札機３０を通過する利用者が保持する無線ＩＣタグ３から情報を読み出す。
【００１９】
＜認証用ＩＤ記憶部３２＞
認証用ＩＤ記憶部３２は、有効な乗車券２のＩＤを記憶している。有効な乗車券２のＩＤとは、発券機２０が発券した乗車券２のＩＤであって、未だ使用されていないＩＤである。本実施の形態では、各乗車券２に固有のＩＤを付け、一度利用された乗車券２のＩＤを無効することで乗車券２の使用回数を１回に制限している。
【００２０】
図４は、認証用ＩＤ記憶部３２の構成例である。認証用ＩＤ記憶部３２は、図４に示すように、発券機２０で既に発券された乗車券２のＩＤ、乗車券２のＩＤの使用未使用フラグなどを記憶している。使用未使用フラグを利用する代わりに使用したＩＤを削除するような構成にしてもよい。
【００２１】
＜ＩＤ認証部３３＞
ＩＤ認証部３３は、リーダ３１が乗車券２のＩＤを読み取ると、この乗車券２のＩＤが認証用ＩＤ記憶部３２に存在するか否か検索し、乗車券２のＩＤが認証用ＩＤ記憶部３２に存在し、かつ、このＩＤの使用未使用フラグが未使用である場合、認証が成功したことを扉駆動部３５および同期処理部３７に送信する。
【００２２】
一方、取得した乗車券２のＩＤが認証用ＩＤ記憶部３２に存在しない、または、このＩＤの使用未使用フラグが使用済である場合、ＩＤ認証部３３は、認証に失敗したことを扉駆動部３５および警告処理部３６に送信する。
【００２３】
＜扉駆動部３５、警告処理部３６＞
扉駆動部３５は、ＩＤ認証部３３から乗車券２のＩＤの認証が成功した旨を受信すると、開閉扉３４を開いた状態に駆動する。一方、ＩＤ認証部３３から乗車券２のＩＤの認証が失敗した旨を受信すると、扉駆動部３５は、開閉扉３４を閉じた状態に駆動する。警告処理部３６は、乗車券２のＩＤの認証が失敗した旨を受信すると、ブザーを鳴動させたり、ライトを点滅させたりして、認証の失敗を駅の係員などに通知する。
【００２４】
＜同期処理部３７＞
同期処理部３７は、駅の全ての改札機３０と構内管理サーバ１０に、どの乗車券２が発券されてどの乗車券２が使用されたかという、乗車券２の使用情報をリアルタイムで同期させる。
【００２５】
具体的に説明すると、同期処理部３７は、発券機２０が発券した乗車券２のＩＤを受信し、受信した乗車券２のＩＤを認証用ＩＤ記憶部３２に登録する。また、同期処理部３７は、利用者が改札機を通過すると、認証用ＩＤ記憶部３２にアクセスし、利用者が保持する乗車券２のＩＤの使用未使用フラグを使用済に更新すると共に、利用者が保持する乗車券２のＩＤと、自身の改札機番号と、ＩＤを読み取った時刻と、を駅の全ての改札機３０および構内管理サーバ１０に送信する。さらに、同期処理部３２は、他の改札機３０から乗車券２のＩＤを受信すると、認証用ＩＤ記憶部３２にアクセスし、受信したＩＤの使用未使用フラグを使用済に更新する。
【００２６】
＝＝＝カメラ４０＝＝＝
カメラ４０は、図５に示すように、改札機３０を通過する利用者を撮影する。カメラ４０と改札機３０の関係は、１対１とは限らず、１台のカメラ４０で複数の改札機３０を撮影してもよいし、複数のカメラ４０で１台の改札機３０を撮影してもよい。構内管理サーバ１０のカメラ情報記憶部１６は、ある改札機３０に対しどのカメラ４０が配置されているかという情報を記憶する。カメラ４０が撮影した画像と撮影した時刻は、中継器５０を介して構内管理サーバ１０に送信される。
【００２７】
＝＝＝中継器５０＝＝＝
中継器５０は、画像データ検索システム１を構成する装置間の通信を中継する。中継器５０の具体例として無線ＬＡＮのアクセスポイントがある。なお、ネットワークの構成は、この限りでなく、有線でもよいし、中継器５０を用いずに各機器を直接接続してもよい。
【００２８】
＝＝＝構内管理サーバ１０＝＝＝
構内管理サーバ１０は、図６に示すように、カメラ４０が撮影した画像を画像記憶部１２に記憶させる画像登録部１１と、発券部が発券した乗車券２のＩＤを乗車券ＩＤ記憶部１４（識別情報記憶部）に記憶させる乗車券ＩＤ登録部１３と、乗車券２の使用情報の同期をとる同期処理部１５と、カメラ４０の配置を記憶するカメラ情報記憶部１６と、乗車券２の不正使用を検出する不正検出部１７と、不正使用を行った利用者の画像を検索する画像検索部１８とを備える。
【００２９】
＜画像記憶部１２＞
画像登録部１１は、カメラ４０から利用者の画像を受信すると、受信した利用者の画像、カメラ４０を識別するカメラ番号、画像が撮影された時刻を画像記憶部１２に記憶させる。図７は、画像記憶部１２の構成例である。画像記憶部１２は、図７に示すように、カメラ４０の識別情報であるカメラ番号、画像の撮影開始日時、画像の撮影終了日時、画像データ（若しくは、画像データへのリンク情報）を記憶している。
【００３０】
＜乗車券ＩＤ記憶部１４、同期処理部１５＞
乗車券ＩＤ登録部１３は、発券機２０が発券した乗車券２のＩＤ、改札機番号、及び、ＩＤを読み取った時刻を受信すると、受信した乗車券２のＩＤを乗車券ＩＤ記憶部１４に記憶する。また、同期処理部１５は、改札機３０から乗車券２のＩＤを受信すると、受信したＩＤに対応する使用未使用フラグを使用済に切り替え、さらに、このＩＤを読み取った改札機３０の改札機番号およびこのＩＤが読み取られた時刻を乗車券ＩＤ記憶部１４に登録する。図８は、乗車券ＩＤ記憶部１４の構成例である。乗車券ＩＤ記憶部１４は、図８に示すように、発券機２０が発券した乗車券２のＩＤ、ＩＤの使用未使用フラグ、ＩＤを読み取った改札機番号、ＩＤが読み取られた時刻を記憶している。
【００３１】
＜カメラ情報記憶部１６＞
カメラ情報記憶部１６は、ある改札機３０に対しどのカメラ４０が配置されているかという情報を記憶する。図９は、カメラ情報記憶部１６の構成例である。カメラ情報記憶部１６は、図９に示すように、改札機３０の識別番号である改札機番号、各改札機３０に配置されたカメラ４０の識別番号であるカメラ番号などを記憶している。
【００３２】
＜不正検出部１７＞
不正検出部１７は、改札機３０が読み出した乗車券２のＩＤを中継器５０から取得する。不正検出部１７は、中継器５０を介して改札機から新たに取得した乗車券２のＩＤが乗車券ＩＤ記憶部１４に存在し、かつ、このＩＤの使用未使用フラグが使用済である場合、不正が発生したと判定し、不正が発生した旨を画像検索部１８に送信する。なお、この場合において、改札機３０では、使用未使用の判断及び動機処理は行なわず、中継器５０を介さずに、改札機３０から直接構内管理サーバ１０へ乗車券ＩＤを送信してもよい。
【００３３】
＜画像検索部１８＞
画像検索部１８は、不正が発生したと判定された乗車券２のＩＤに対応する改札機番号と前記乗車券２のＩＤが読み取られた時刻とを乗車券２のＩＤを読み取った改札機番号と乗車券ＩＤ記憶部１４から読み出す。画像検索部１８は、読み出した改札機番号をキーとして、改札機３０を撮影するカメラ番号をカメラ情報記憶部１６から読み出す。画像検索部１８は、カメラ番号と乗車券２のＩＤが読み取られた時刻とをキーとして、不正な乗車券２からＩＤが読み取られた時刻にカメラ４０に撮影された利用者の画像を検索する。
【００３４】
なお、このとき検索した画像に写っている利用者は、必ずしも不正な乗車券２の利用者とは限らない。正規の利用者が先に改札機３０を通過した場合には、検索した画像に正規の利用者が写る。
【００３５】
また、画像検索部１８は、不正が発生したと判定される都度、毎回画像を検索するのではなく、係員端末６０から指示に応じて画像の検索処理を開始するような構成にしてもよい。この場合、駅の係員は、係員端末６０に付けられたリーダを用いて利用者から受け取った乗車券２からＩＤを読み取る。構内管理サーバ１０の画像検索部１８は、係員端末６０から乗車券２のＩＤを受信したタイミングで画像の検索処理を開始する。
【００３６】
＝＝＝画像データ検索システム１の動作＝＝＝
図１０は、画像データ検索システム１において改札機３０が乗車券２の認証を行うまでの動作を説明するフローチャートである。カメラ４０は、改札機３０を通過する利用者を撮影し（ステップＳ１１）、撮影した画像を構内管理サーバ１０に送信する（ステップＳ１２）。構内管理サーバ１０の画像登録部１１は、受信した利用者の画像、カメラ４０の識別情報であるカメラ番号、画像が撮影された時刻を画像記憶部１２に記憶させる（ステップＳ１３）。
【００３７】
発券機２０は、乗車券２を発券すると（ステップＳ１４）、発券した乗車券２のＩＤを中継器５０に送信する（ステップＳ１５）。中継器５０は、受信したＩＤを駅の全ての改札機３０および構内管理サーバ１０に転送する（ステップＳ１６）。改札機３０のＩＤ認証部３３は、発券機２０から受信した乗車券２のＩＤを認証用ＩＤ記憶部３２に登録する（ステップＳ１７）。構内管理サーバ１０の乗車券ＩＤ登録部１３は、発券機２０から受信した発券済み乗車券２のＩＤを乗車券ＩＤ記憶部１４に登録する（ステップＳ１８）。
【００３８】
改札機３０のリーダ３１は、改札機３０を通過する利用者が保持している乗車券２のＩＤを読み取る（ステップＳ１９）。ＩＤ認証部３３は、リーダ３１が読み取った乗車券２のＩＤが認証用ＩＤ記憶部３２に存在し、かつ、このＩＤの使用未使用フラグが未使用である場合（ステップＳ２０；ＹＥＳ）、認証が成功したことを扉駆動部３５および同期処理部３７に送信する（ステップＳ２１）。認証が成功したことを受信した扉駆動部３５は、改札機３０の開閉扉３４を開いた状態に駆動する（ステップＳ２２）。認証が成功したことを受信した同期処理部３７は、他の改札機３０、及び、構内管理サーバ１０との同期を取る。同期処理部３７の動作について図１１を参照しながら後に説明する。
【００３９】
一方、取得した乗車券２のＩＤが認証用ＩＤ記憶部３２に存在しない、または、このＩＤの使用未使用フラグが使用済みである場合（ステップＳ２０；ＮＯ）、ＩＤ認証部３３は、認証が失敗したことを扉駆動部３５および警告処理部３６に送信する（ステップＳ２３）。
【００４０】
認証が失敗したことを受信した扉駆動部３５は、改札機３０の開閉扉３４を閉じた状態に駆動する。同時に、警告処理部３６は、ブザーやライトを用いて認証が失敗したことを駅の係員に通知する（ステップＳ２４）。
【００４１】
図１１は、ある改札機３０において乗車券２の認証が成功した後、駅の全ての改札機３０と構内管理サーバ１０とが乗車券２の使用情報の同期を取る手順を説明するフローチャートである。図１０のステップＳ２１において送信された乗車券２のＩＤを、受信した改札機３０の同期処理部３７は、認証用ＩＤ記憶部３２にアクセスし、認証が成功した乗車券２のＩＤの使用未使用フラグを使用済に切り替える（ステップＳ２５）。そして、同期処理部３７は、認証が成功した乗車券２のＩＤと自身の改札機番号と乗車券２のＩＤを読み取った時刻とを中継器５０に送信する（ステップＳ２６）。中継器５０は、受信した情報を駅の全ての改札機３０及び構内管理サーバ１０に転送する（ステップＳ２７）。乗車券２のＩＤを受信した改札機３０は、認証用ＩＤ記憶部３２にアクセスし、受信した乗車券２のＩＤの使用未使用フラグを使用済に切り替える（ステップＳ２８）。構内管理サーバ１０の同期処理部１５は、乗車券ＩＤ記憶部１４にアクセスし、受信したＩＤの使用未使用フラグを使用済に切り替え、さらに、ＩＤを送信した改札機３０の改札機番号、この改札機３０でＩＤが読み取られた時刻を登録する（ステップＳ２９）。
【００４２】
図１２は、係員端末６０が構内管理サーバ１０に画像データの検索を命令し、構内管理サーバ１０が画像データの検索を実行する手順を説明するフローチャートである。なお、ここでは、係員端末６０から取得した乗車券２のＩＤを基に画像を検索する例を説明する。構内管理サーバ１０の不正検出部１７が検出した乗車券２のＩＤを基に画像を検索する構成にしてもよい。
【００４３】
利用者が正規の乗車券２を購入しているにもかかわらず、改札機３０の開閉扉３４が閉じられると、利用者は、駅の係員に状況を説明すると考えられる。利用者の説明を受けた係員は、利用者が保持する乗車券２を受け取り、係員端末６０のリーダを用いて、乗車券２のＩＤを読み取る（ステップＳ３０）。
【００４４】
係員端末６０は、読み取った乗車券２のＩＤと検索開始命令を構内管理サーバ１０に送信する（ステップＳ３１）。検索開始命令を受信した構内管理サーバ１０の画像検索部１８は、係員端末６０で読み取られた乗車券２のＩＤをキーとして、この乗車券２のＩＤと同じＩＤを読み取った改札機３０の改札機番号、読み取った時刻を、乗車券ＩＤ記憶部１４から読み出す（ステップＳ３２）。
【００４５】
画像検索部１８は、読み出した改札機番号をキーとして、改札機３０を撮影するカメラ番号をカメラ情報記憶部１６から読み出す（ステップＳ３３）。画像検索部１８は、ステップＳ３１で読み出した時刻と、ステップＳ３２で読み出したカメラ番号とをキーとして、不正なＩＤが使用された時刻にカメラ４０に撮影された利用者の画像を検索する（ステップＳ３４）。画像検索部１８は、検索した画像を係員端末６０に送信する（ステップＳ３５）。係員端末６０は、受信した画像をディスプレイに表示する（ステップＳ３６）。これにより、駅の係員は、不正な乗車券２のＩＤが読み取られた時刻にカメラ４０に撮影された利用者を確認することができる。
【００４６】
以上説明したように、本実施の形態における画像データ検索システム１は、改札機３０を通過する利用者の画像と、画像を撮影した時刻を画像記憶部１２に記憶すると共に、乗車券２に固有のＩＤを付加し、１度利用した乗車券２が何度も利用されないように、ＩＤの使用状況を管理する。構内管理サーバ１０は、１度利用した乗車券２のＩＤが、再度利用されると、この乗車券２のＩＤの利用に不正があったと判定し、ＩＤが利用された時刻に改札機３０を通過した利用者の画像を検索する。これにより、乗車券２の不正利用者を特定することができる。
【００４７】
なお、本発明は、上記実施の形態に限定されるものではなく、その要旨を逸脱しない範囲で種々変更可能である。例えば、本実施の形態において、画像データ検索システム１は、中継器５０を介してデータをやり取りしたが、ネットワークの構成は、この限りではなく、各機器を直接接続してもよい。また、画像データ検索システム１では、乗車券２の発券および乗車券２の使用が行なわれる都度、駅の構内にある全ての改札機３０と構内管理サーバ１０の乗車券２の使用状況に関する情報の同期をとる構成としたが、例えば、構内管理サーバ１０が情報を一括管理するような構成にしてもよい。
【００４８】
また、本実施の形態では、改札機３０が乗車券２のＩＤを読み取る都度、読み取ったＩＤが不正に使用されたか否かを判定したが、乗車券２の使用情報を蓄積し、夜間などに一度に画像の検索処理を行なってもよい。
【００４９】
なお、本実施の形態における不正な乗車券２とは、便宜上、「券」という語句を利用したが、必ずしも券の形状をしているわけではなく、乗車券２に付けられた無線ＩＣタグ３と同じＩＤを記憶した無線ＩＣタグそのもの、若しくは、前記無線ＩＣタグを券以外のものに付したものも不正な乗車券２に含む。また、乗車券２に付けられた無線ＩＣタグ３と同じ無線通信を行う機能、すなわち、無線ＩＣタグ３の通信周波数やプロトコルに対応し、リーダ３１に対して無線ＩＣタグ３のＩＤを返信する機能を備えた装置も不正な乗車券２に含む。
【図面の簡単な説明】
【００５０】
【図１】本実施の形態にかかる画像データ検索システムの構成図である。
【図２】乗車券の構造を説明する模式図である。
【図３】改札機の内部構成を示すブロック図である。
【図４】認証用ＩＤ記憶部の構成例である。
【図５】カメラの配置を説明する模式図である。
【図６】構内管理サーバの内部構成を説明するブロック図である。
【図７】画像記憶部の構成例である。
【図８】乗車券ＩＤ記憶部の構成例である。
【図９】カメラ情報記憶部の構成例である。
【図１０】画像データ検索システムにおいて改札機が乗車券の認証を行なうまでの動作を説明するフローチャートである。
【図１１】乗車券の認証が成功した後、駅の全ての改札機と構内管理サーバとが乗車券の使用情報の同期を取る手順を説明するフローチャートである。
【図１２】係員端末が画像データの検索を命令し、構内管理サーバが画像データの検索を実行する手順を説明するフローチャートである。
【符号の説明】
【００５１】
１  画像データ検索システム
２  乗車券
３  無線ＩＣタグ
１０  構内管理サーバ
１１  画像登録部
１２  画像記憶部
１３  乗車券ＩＤ登録部
１４  乗車券ＩＤ記憶部
１５  同期処理部
１６  カメラ情報記憶部
１７  不正検出部
１８  画像検索部
２０  発券機
３０  改札機
３１  リーダ
３２  認証用ＩＤ記憶部
３３  ＩＤ認証部
３７  同期処理部
４０  カメラ
５０  中継器
６０  係員端末
【図１】
2008059219.tif 000003
【図２】
2008059219.tif 000004
【図３】
2008059219.tif 000005
【図４】
2008059219.tif 000006
【図５】
2008059219.tif 000007
【図６】
2008059219.tif 000008
【図７】
2008059219.tif 000009
【図８】
2008059219.tif 000010
【図９】
2008059219.tif 000011
【図１０】
2008059219.tif 000012
【図１１】
2008059219.tif 000013
【図１２】
2008059219.tif 000014